【事件の表示】
　特願２０１０−２１２２４２「入力装置および入力装置の制御方法」拒絶査定不服審判事件〔平成２２年１２月１６日出願公開、特開２０１０−２８２６６５〕について、次のとおり審決する。
【結　論】
　本件審判の請求は、成り立たない。
【理　由】
１．手続の経緯
　本願は、平成２０年１２月９日に出願された特願２００８−３１３６２０号の一部を、平成２２年９月２２日に新たな特許出願としたものであって、平成２４年８月１０日付けで拒絶理由が通知され、これに対し、平成２４年１０月１２日付けで手続補正がなされたが、平成２５年３月７日付けで拒絶査定がなされ、これに対し、平成２５年６月１１日に拒絶査定不服の審判が請求されたものである。
　
２．本願発明
　本願の請求項１〜２に係る発明は、平成２４年１０月１２日付けの手続補正書によって補正された特許請求の範囲の請求項１〜２に記載された事項により特定されるとおりのものであるところ、請求項１に係る発明（以下、「本願発明」という。）は、次のとおりのものである。
「【請求項１】
　入力部と、
　前記入力部に対する押圧荷重を検出する荷重検出部と、
　前記入力部を振動させる振動部と、
　前記荷重検出部により検出される押圧荷重が所定の基準を満たした際に、前記入力部を超音波領域の周波数で振動させるように前記振動部の駆動を制御する制御部と、
　を備えることを特徴とする入力装置。」
　
３．引用例
（引用例１）
　原査定の拒絶の理由に引用された、本願の原出願の出願日前に頒布された刊行物である、特開平１０−２９３６４４号公報（以下、「引用例１」という。）には、図面とともに次の技術的事項が記載されている。
（ア）「【発明の詳細な説明】
【０００１】
【発明の属する技術分野】この発明は、例えばＦＡ（ファクトリーオートメーション）機器、自動販売機、自動券売機、情報機器、家庭電気製品、医療用の操作機器等に用いられるタッチパネル付表示装置に関する。
【０００２】
【従来の技術】この種のタッチパネル付表示装置の従来例を図５および図６に示す。
【０００３】まずタッチパネル周りの構造を図５を参照して説明すると、このタッチパネル付表示装置は、ケース８内に、情報表示機能を有する表示パネル２を収納し、その上方近傍にタッチパネル４を配置した構造をしている。タッチパネル４は、この例のようにタッチパネル支持板６によって支持される場合が多い。
【０００４】タッチパネル４およびタッチパネル支持板６の下部には、タッチパネル４等を機械的に駆動してタッチパネル４の操作者に振動等の触感応答を与える１個以上の駆動部１０が設けられており、この駆動部１０によってタッチパネル支持板６およびタッチパネル４の全体が支持されている。この駆動部１０は、例えば加振用の電磁ソレノイドである。」（第３頁第３欄第３〜２４行）
　
（イ）「【０００７】次に電気回路を図６を参照して説明すると、このタッチパネル付表示装置は、操作位置検出回路１２、スイッチ使用領域設定回路１６、一致検出回路１４、駆動信号発生回路１８等を備えている。
【０００８】操作位置検出回路１２は、タッチパネル４から与えられる位置成分信号ＸＳおよびＹＳに基づいて、タッチパネル４の操作位置の座標（Ｘn ，Ｙm ）を検出して、その操作位置を表す操作位置信号ＰＳを出力する。この操作位置信号ＰＳによって、タッチパネル４の操作された位置を知ることができる。この操作位置信号ＰＳは、外部に出力されると共に、一致検出回路１４に与えられる。
【０００９】スイッチ使用領域設定回路１６は、タッチパネル４において実際にスイッチとして使用する１以上のスイッチ使用領域４ａを設定する。即ち、タッチパネル４は前述したように、その面内にマトリックス状に配置された多数のスイッチ部を有しているけれども、通常はその全てをスイッチとして使用するのではなく、幾つかの領域をスイッチとして使用する。どこをスイッチ使用領域４ａとして使用するかを、このスイッチ使用領域設定回路１６で設定する。このスイッチ使用領域４ａは、例えば券売機の例で言えば、行き先や料金等を選択する領域である。
【００１０】一致検出回路１４は、上記スイッチ使用領域設定回路１６で設定したスイッチ使用領域４ａと操作位置検出回路１２で検出した操作位置とを比較して、両者が重なるときに、即ち設定したスイッチ使用領域４ａと検出した操作位置とが一部分または全部で一致するときに、一致検出信号ＣＳを出力する。このことは簡単に言えば、タッチパネル４上でスイッチとして使用するスイッチ使用領域４ａのどれかを指等で操作すれば、一致検出回路１４から一致検出信号ＣＳが出力されるということである。
【００１１】駆動信号発生回路１８は、上記一致検出回路１４から与えられる一致検出信号ＣＳに応答して駆動信号ＤＳを発生する。
【００１２】上記駆動部１０は、この駆動信号発生回路１８から与えられる駆動信号ＤＳに基づいてタッチパネル４等を前述したように機械的に駆動する。」（第３頁第３欄第４０行〜同頁第４欄第２８行）
　
（ウ）「【００２４】請求項２記載のタッチパネル付表示装置においては、請求項１の場合と違って、論理積手段から出力されるアンド信号に基づいて駆動手段を電気的に駆動するので、タッチパネルのスイッチ使用領域以外の領域を押圧操作しても触感応答は与えられない。スイッチ使用領域を所定の押圧力以上で押圧操作すると初めて、触感応答が与えられ、明確な操作感を得ることができる。従って、スイッチとしての操作感、操作の信頼性等がより向上する。」（第４頁第６欄第４８行〜第５第７欄第６行）
　
（エ）「【００２６】
【発明の実施の形態】図１は、この発明に係るタッチパネル付表示装置のタッチパネル周りの構造の一例を示す断面図である。図２は、この発明に係るタッチパネル付表示装置の電気回路の一例を示す回路図である。図５および図６の従来例と同一または相当する部分には同一符号を付し、以下においては当該従来例との相違点を主に説明する。
【００２７】まずタッチパネル周りの構造を図１を参照して説明すると、このタッチパネル付表示装置は、ケース８内に、具体的にはこの例では前述したタッチパネル４とその下のタッチパネル支持板６との間に、タッチパネル４が所定の押圧力以上で押圧されたことを検出して押圧検出信号ＳＳ（図２参照）を出力する押圧検出スイッチ２０を備えている。
【００２８】この押圧検出スイッチ２０は、一つでも良いし、タッチパネル４の周縁部の複数箇所にそれぞれ設けても良い。この押圧検出スイッチ２０は、接点スイッチのような接触式のものでも良いし、光電スイッチのような非接触式のものでも良いし、その他、圧電素子のような感圧式のもの等でも良い。この押圧検出スイッチ２０は、この例以外の場所、例えばタッチパネル支持板６とそれを支持する駆動部１０との間、あるいはタッチパネル支持板６（またはタッチパネル４）とケース８との間等に設けても良い。要は、タッチパネル４が所定の押圧力以上で押圧されたことを検出できれば良い。
【００２９】なお、前述した表示パネル２は、要は情報表示機能を有しておれば良く、表示する情報が固定情報であるか可変情報であるか、自発光であるか否か、バックライト等を有しているか否か、等は問わない。例えば、この表示パネル２は、典型的には液晶ディスプレイであるが、その他、ＥＬ（エレクトロルミネッセント）ディスプレイ、プラズマディスプレイ、薄型ＣＲＴ、ＬＥＤアレイ、情報を表示する記銘板や液晶シャッターとそれを照らす発光体や反射板とを組み合わせたもの、更には情報を記載した単なる紙や板等でも良い。この内、液晶ディスプレイは、比較的安価であり、しかもタッチパネル４のスイッチ使用領域４ａ（図２参照）の数、大きさ、配置等の設定・変更に容易に対応することができる。」（第５頁第７欄第１８行〜同頁第８欄第７行）
　
（オ）「【００３５】駆動部１０は、一つでも良いし、タッチパネル４の周縁部の複数箇所にそれぞれ設けても良い。この駆動部１０には、例えば、（１）圧電振動子、（２）電磁ソレノイドとプランジャーとの組み合わせ、（３）電磁石と永久磁石との組み合わせ、（４）偏心重りを有する振動モータ、等を用いることができる。
【００３６】駆動信号発生回路１８および駆動部１０によってタッチパネル４を機械的に駆動してタッチパネル４の操作者に触感応答を与える態様としては、例えば、（１）タッチパネル４を振動させる、（２）タッチパネル４を一瞬（１ショット）だけ急に水平方向にスライドさせる、（３）タッチパネル４を急に水平方向にスライドさせ、押している間はこれを保持する、（４）タッチパネル４を一瞬（１ショット）だけ急に下げる、（５）タッチパネル４を急に下げ、押している間はそれを保持する、（６）タッチパネル４を一瞬（１ショット）だけ急に上げる、（７）タッチパネル４を急に上げ、押している間はそれを保持する、等が採り得る。これらの場合に駆動信号発生回路１８から駆動部１０に与える駆動信号ＤＳの具体例は次のとおりである。即ち、上記（１）の場合は交流信号を与えれば良い。上記（２）、（４）および（６）の場合は、パルス信号を与えれば良い。上記（３）、（５）および（７）の場合は、直流信号を与えれば良い。
【００３７】上記によって操作者に与えられる触感応答の具体例は次のとおりである。即ち、上記（１）の場合は、操作者の指等に振動が与えられる。上記（２）〜（５）の場合は、タッチパネル４のスイッチ部を一定のストロークだけ押し込んだというストローク感と、同スイッチ部を急に操作したというクリック感の両方が操作者の指等に与えられる。上記（６）および（７）の場合は、タッチパネル４が突き上がって来る刺激によって、タッチパネル４を急に操作したというクリック感が操作者の指等に与えられる。」（第５頁第８欄第３９行〜第６頁第９欄第２１行）（当審注：丸数字の１〜７を、（１）〜（７）と表記した。）
　
（カ）「【００５０】図３に示す実施の形態を、図２に示したものとの相違点を主体に説明すると、この実施の形態では、論理積回路２２から出力されるアンド信号ＡＳを駆動信号発生回路１８に与えて、このアンド信号ＡＳに応答して駆動信号発生回路１８から駆動信号ＤＳを発生させるようにしている。
【００５１】このようにすれば、タッチパネル４のスイッチ使用領域４ａ以外の領域４ｂを所定の押圧力以上で押圧操作しても、一致検出回路１４から一致検出信号ＣＳは出力されないので、論理積回路２２からアンド信号ＡＳは出力されず、従って駆動信号発生回路１８から駆動信号ＤＳは出力されず、駆動部１０は電気的に駆動されないので、操作者に触感応答は与えられない。スイッチ使用領域４ａを所定の押圧力以上で押圧操作すると初めて、一致検出回路１４から一致検出信号ＣＳが出力されると共に押圧検出スイッチ２０から押圧検出信号ＳＳが出力され、論理積回路２２からアンド信号ＡＳが出力され、駆動信号発生回路１８から駆動信号ＤＳが出力され、それによって駆動部１０が電気的に駆動されて操作者に触感応答が与えられ、明確な操作感を得ることができる。従って、タッチパネル４のスイッチ使用領域４ａを押圧操作したときにだけ触感応答が与えられるので、スイッチとしての操作感、操作の信頼性等がより向上する。」（第７頁第１１欄第３０行〜同頁第１２欄第３行）
　
　上記引用例１記載事項及び図面を総合勘案すると、引用例１には、次の発明（以下、「引用発明」という。）が記載されているものと認められる。
「タッチパネル付表示装置において、
　タッチパネル付表示装置は、操作位置検出回路１２、スイッチ使用領域設定回路１６、一致検出回路１４、駆動信号発生回路１８、及び押圧検出スイッチ２０を備え、
　タッチパネル４およびタッチパネル支持板６の下部には、タッチパネル４等を機械的に駆動してタッチパネル４の操作者に振動等の触感応答を与える１個以上の駆動部１０が設けられ、
　タッチパネル４において実際にスイッチとして使用する１以上のスイッチ使用領域４ａを設定し、
　上記駆動部１０は、この駆動信号発生回路１８から与えられる駆動信号ＤＳに基づいてタッチパネル４等を前述したように機械的に駆動し、
　押圧検出スイッチ２０は、タッチパネル４が所定の押圧力以上で押圧されたことを検出して押圧検出信号ＳＳを出力し、
　駆動信号発生回路１８および駆動部１０によってタッチパネル４を機械的に駆動してタッチパネル４の操作者に触感応答を与える態様としては、タッチパネル４を振動させることを採り得、この場合に駆動信号発生回路１８から駆動部１０に与える駆動信号ＤＳとしては、交流信号を与えれば良く、
　スイッチ使用領域４ａを所定の押圧力以上で押圧操作すると初めて、一致検出回路１４から一致検出信号ＣＳが出力されると共に押圧検出スイッチ２０から押圧検出信号ＳＳが出力され、論理積回路２２からアンド信号ＡＳが出力され、駆動信号発生回路１８から駆動信号ＤＳが出力され、それによって駆動部１０が電気的に駆動されて操作者に触感応答が与えられ、明確な操作感を得ることができ、従って、タッチパネル４のスイッチ使用領域４ａを押圧操作したときにだけ触感応答が与えられるので、スイッチとしての操作感、操作の信頼性等がより向上する、
  タッチパネル付表示装置。」
　
（引用例２）
　本願の原出願の出願前に頒布された刊行物である、特開２００５−１９０２９０号公報（以下、「引用例２」という。）には、図面とともに、次の技術的事項が記載されている。
（キ）「【００１１】
　以下、本発明の実施形態について説明する。
　図１に、本実施形態に係る電子システムの構成を示す。
　図示するように、本電子処理システムは、オーディオ装置やナビゲーション装置などの個々の機能を果たす装置である個別機能装置１と、各個別装置の制御を行う制御装置２と、液晶表示パネル３と、タッチパネル４と、振動ユニット５と、液晶表示パネル３を表示駆動する表示コントローラ６と、タッチパネル４のタッチ発生、デタッチ（タッチの解除）発生の検出やタッチ座標（タッチされている座標）の検出を行うタッチパネルコントローラ７と、振動ユニット５を駆動する振動コントローラ８とを有する。」（第４頁第４９行〜第５頁第７行）
　
（ク）「そして、ユーザのボタンへのタッチが発生したならば、タッチ位置がボタンに対応する位置であるかどうかを、発生したイベントがボタン外タッチ発生イベントとボタンタッチ発生イベントとのどちらであるかより判定する（ステップ２０４）。そして、タッチ位置がボタンに対応する位置であれば、タッチされたボタンを選択ボタンに設定する（ステップ２０６）。そして、振動ドライバ２５と振動コントローラ８を介して振動ユニット５に、ボタン選択操作受け付けを表す振動パターンＶＰ１を発生させる（ステップ２０８）。」（第６頁第１８〜２３行）
　
（ケ）「【００２９】
　以上、ボタン操作受け付け処理の手順について説明した。
　ここで、図４は、以上のボタン操作受け付け処理においてボタン選択操作受け付けをユーザに通知するために用いた振動パターンＶＰ１と、ボタン決定操作受け付けをユーザに通知するために用いた振動パターンＶＰ２を示したものである。
　図中、ａは振動パターンＶＰ１の波形を示し、ｂが振動パターンＶＰ２の波形を示している。図示するように振動パターンＶＰ１は正弦波となっており、その振動数は、たとえば、１２０ｋＨｚである。そして、この振動パターンＶＰ１は、比較的重い感じのクリック感をユーザに与える。」（第８頁第１６〜２４行）　
　
 （引用例３）
　本願の原出願の出願前に頒布された刊行物である、特開２００６−１５０８６５号公報（以下、「引用例３」という。）には、次の技術的事項が記載されている。
（コ）「また請求項８乃至１５に記載の本発明によれば、画像形成装置のタッチパネルが押下されたことを検知したときは、タッチパネルを振動させるようにしているので、操作者にタッチパネルの押下を知らせることができ、操作性を向上させた画像形成装置を提供することができる。」（第５頁第３１〜３４行）
　
（サ）「この場合、キー選択検知手段４は、操作部上にあるタッチパネル５が押されたことを検知すると、ＣＰＵ１は振動時間設定手段１７により設定された振動時間と振動周波数設定手段１０により設定された振動周波数、及び振動波形設定手段１１により設定された振動波形と振動待機時間設定手段１８により設定された振動開始時間とにより操作パネル振動手段１２を制御する。
  なお、振動時間設定手段１７により設定された振動時間、及び振動待機時間設定手段１８により設定された振動開始時間は、例えば操作者が予め０秒から１０秒まで任意に設定できるものとする。また振動周波数設定手段１０により設定された振動周波数も、例えば操作者が予め０Ｈｚから１００ｋＨｚまで任意に設定できるものとする。さらに、振動波形設定手段１１により設定された振動波形は、正弦波、矩形波、三角波、あるいはこれら複数の波形の組み合わせを任意に設定できるものとする。」（第７頁第９〜１９行）
　
（引用例４）
　原査定の拒絶の理由で引用された、本願の原出願の出願前に頒布された刊行物である、特開平９−３１９５１８号公報（以下、「引用例４」という。）には、次の技術的事項が記載されている。
（シ）「【００４２】●第３の実施形態例の効果の説明
上記のような構造になっていることから、タッチパネルの入力区画あるいは記号エリアの被覆部では超音波振動によるスクイズ効果が起こり、被覆部表面の粗滑を局所的に変化させることができる（渡部、「瞬間的な超音波振動による触感制御」、ＳＩＣＥ’９５、ｐｐ．７５１−７５２参照）。操作者は、この粗滑の違いを解釈することによって、タッチパネルを見ないでもタッチパネルの入力区画あるいは記号エリアを理解し、所望する入力区画あるいは記号エリアを押すことができる。」（第４頁第６欄第４９行〜第５頁第７欄第８行）
　
４．対比
　本願発明と引用発明とを比較する。
　引用発明の「タッチパネル４において実際にスイッチとして使用する１以上のスイッチ使用領域４ａ」 が、本願発明の「入力部」に相当する。
　次に、引用発明の「押圧検出スイッチ２０は、タッチパネル４が所定の押圧力以上で押圧されたことを検出して押圧検出信号ＳＳを出力」するものであるから、該「押圧検出スイッチ２０」が、本願発明の「前記入力部に対する押圧荷重を検出する荷重検出部」に相当する。
　次に、引用発明の「タッチパネル４を機械的に駆動」する「駆動部１０」は、「タッチパネル４を振動させる」態様を採り得るから、本願発明の「前記入力部を振動させる振動部」に相当する。
　次に、引用発明の「タッチパネル４が所定の押圧力以上で押圧されたことを検出して押圧検出信号ＳＳを出力」する「押圧検出スイッチ２０」により、「スイッチ使用領域４ａを所定の押圧力以上で押圧操作すると初めて、一致検出回路１４から一致検出信号ＣＳが出力される」（以下、「スイッチ使用領域４ａを所定の押圧力以上で押圧操作すると」という。）ことが、本願発明の「前記荷重検出部により検出される押圧荷重が所定の基準を満たした際」に相当する。
　次に、引用発明では、「スイッチ使用領域４ａを所定の押圧力以上で押圧操作すると初めて」、「駆動信号発生回路１８から駆動信号ＤＳが出力され、それによって駆動部１０が電気的に駆動され」、また、「駆動信号発生回路１８および駆動部１０によってタッチパネル４を機械的に駆動してタッチパネル４の操作者に触感応答を与える態様としては、タッチパネル４を振動させることを採り得」るものである。
　よって、引用発明のかかる制御に用いられる「押圧検出スイッチ２０」、「一致検出回路１４」及び「駆動信号発生回路１８」と、本願発明の「前記荷重検出部により検出される押圧荷重が所定の基準を満たした際に、前記入力部を超音波領域の周波数で振動させるように前記振動部の駆動を制御する制御部」とは、「前記荷重検出部により検出される押圧荷重が所定の基準を満たした際に、前記入力部を振動させるように前記駆動部の駆動を制御する制御部」の点で共通する。
　
　すると、本願発明と引用発明とは、次の点で一致する。
（一致点）
入力部と、
　前記入力部に対する押圧荷重を検出する荷重検出部と、
　前記入力部を振動させる駆動部と、
　前記荷重検出部により検出される押圧荷重が所定の基準を満たした際に、前記入力部を振動させるように前記駆動部の駆動を制御する制御部と、
　を備えることを特徴とする入力装置。
　
　また、両者は次の点で相違する。
＜相違点＞
　本願発明では、「前記荷重検出部により検出される押圧荷重が所定の基準を満たした際」に、前記入力部を「超音波領域の周波数」で振動させるようにしているのに対し、引用発明では、スイッチ使用領域４ａを所定の押圧力以上で押圧操作すると、「タッチパネル４を振動」させることは示されているものの、「超音波領域の周波数」で振動させることは示されていない点。
　
５．判断
　そこで、上記相違点について検討する。
　引用例２（特開２００５−１９０２９０号公報）には、「タッチパネル」における「ボタン選択操作受け付けをユーザに通知するために用い」る「振動パターンＶＰ１」について、「振動パターンＶＰ１は正弦波となっており、その振動数は、たとえば、１２０ｋＨｚである。そして、この振動パターンＶＰ１は、比較的重い感じのクリック感をユーザに与える。」と記載され、また、引用例３（特開２００６−１５０８６５号公報）には、「タッチパネルを振動させ」て「操作者にタッチパネルの押下を知らせる」ための「振動周波数」について、「また振動周波数設定手段１０により設定された振動周波数も、例えば操作者が予め０Ｈｚから１００ｋＨｚまで任意に設定できるものとする。」と記載され、引用例４（特開平９−３１９５１８号公報）には、「タッチパネルの入力区画あるいは記号エリアの被覆部では超音波振動によるスクイズ効果が起こり、被覆部表面の粗滑を局所的に変化させることができ」、「操作者は、この粗滑の違いを解釈することによって、タッチパネルを見ないでもタッチパネルの入力区画あるいは記号エリアを理解し、所望する入力区画あるいは記号エリアを押すことができる。」と記載されており、超音波領域の周波数とは、一般的に、２０ｋＨｚ以上の周波数を意味するから、本願の原出願の出願前において、タッチパネルの入力部を振動させて操作者に触感を与える際、その振動の周波数として「超音波領域」の周波数を採用することは、当業者にとって、周知の事項であったと認められる。
　また、引用発明と上記周知の事項とは、タッチパネル操作という共通の技術分野に属するものである。
　よって、上記周知の事項を引用発明に適用し、引用発明において、スイッチ使用領域４ａを所定の押圧力以上で押圧操作すると（前記荷重検出部により検出される押圧荷重が所定の基準を満たした際に）、タッチパネル４を「超音波領域の周波数」で振動させ、上記相違点に係る本願発明の構成とすることは、当業者が容易になし得たことである。
　
　また、本願の請求項１に特定された「前記荷重検出部により検出される押圧荷重が所定の基準を満たした際に、前記入力部を超音波領域の周波数で振動させる」との構成から導かれる作用効果も、引用発明及び周知の事項から、当業者が予測し得たものである。
　
　よって、本願の請求項１に係る発明は、引用例１に記載された発明及び周知の事項に基づいて当業者が容易に発明をすることができたものである。
　
６．まとめ
　以上のとおり、本願の請求項１に係る発明は、特許法第２９条第２項の規定により特許を受けることができないものである。
　したがって、その余の請求項について論及するまでもなく、本願は、拒絶すべきものである。
　よって、結論のとおり審決する。